(57)【要約】【課題】足趾の第１〜第５中足骨骨頭部の下方への沈み込みを防止して、足趾の背屈を防止し、足趾の蹴り出し動作を促進させる。【解決手段】シューズのミッドソール構造体１において、踵部Ａ、中足部Ｂおよび前足部Ｃを有する軟質弾性部材製のミッドソール２と、ミッドソール２の前足部Ｃに配置され、ミッドソール２よりも硬度が高い硬質プレート３とを設ける。硬質プレート３は、着用者の足の第１趾中足骨ＭＢ１  の骨頭部から第５趾中足骨ＭＢ５  の骨頭部にかけての部位をカバーする領域に配置されている。硬質プレート３の硬度は、ＪＩＳＫ６２５３Ｄスケールで１５〜８０度に設定され、ミッドソール２の硬度は、アスカーのＣスケールで４５〜７０度に設定される。【選択図】    図１
2004267238.tif 000002
【特許請求の範囲】
【請求項１】
シューズのミッドソール構造体であって、
着用者の足の踵部、土踏まず部および前足部にそれぞれ対応する踵部、中足部および前足部を有する軟質弾性部材製のミッドソールを備え、
前記ミッドソールにおいて、着用者の足の第１趾ないし第５趾の各中足骨骨頭部をカバーする領域に、前記ミッドソールよりも硬度が高い硬質プレートが設けられている、
ことを特徴とするシューズのミッドソール構造体。
【請求項２】
請求項１において、
前記硬質プレートが樹脂またはラバー素材から構成されるとともに、その硬度がＪＩＳＫ６２５３Ｄスケールで１５〜８０度であり、前記ミッドソールの硬度がアスカーのＣスケールで４５〜７０度である、
ことを特徴とするシューズのミッドソール構造体。
【請求項３】
請求項２において、
前記硬質プレートの硬度がＪＩＳＫ６２５３Ｄスケールで２５〜３５度であり、前記ミッドソールの硬度がアスカーのＣスケールで５０〜６０度である、
ことを特徴とするシューズのミッドソール構造体。
【請求項４】
請求項１ないし３のいずれかにおいて、
前記硬質プレートが、前記ミッドソールの上面に形成された凹部に配置されている、
ことを特徴とするシューズのミッドソール構造体。
【請求項５】
請求項１ないし３のいずれかにおいて、
前記硬質プレートが、前記ミッドソールの下面に形成された凹部に配置されている、
ことを特徴とするシューズのミッドソール構造体。
【請求項６】
請求項１ないし３のいずれかにおいて、
前記硬質プレートが、前記ミッドソールの内部に埋設されている、
ことを特徴とするシューズのミッドソール構造体。
【請求項７】
請求項４ないし６のいずれかにおいて、
前記硬質プレートが配置された部位における当該ミッドソール構造体の厚みをｔとするとき、前記硬質プレートの厚みが（０．１〜０．５）×ｔであり、当該硬質プレートが配置された部位の前記ミッドソールの厚みが（０．９〜０．５）×ｔである、
ことを特徴とするシューズのミッドソール構造体。
【請求項８】
請求項７において、
前記硬質プレートの厚みが（０．１〜０．２）×ｔであり、当該硬質プレートが配置された前記ミッドソールの厚みが（０．９〜０．８）×ｔである、
ことを特徴とするシューズのミッドソール構造体。
【請求項９】
請求項４ないし６のいずれかにおいて、
前記硬質プレートが、前記ミッドソールの成形時にインサート成形されている、
ことを特徴とするシューズのミッドソール構造体。
【発明の詳細な説明】
【０００１】
【発明の属する技術分野】
本発明は、シューズのミッドソール構造体に関し、詳細には、足趾の背屈を防止するための構造の改良に関する。
【０００２】
【従来の技術】
内部で足趾を動きやすくしたシューズとして、たとえば特開２００２−１４２８０４号公報に示すようなものが提案されている。このシューズは、中底のつま先部分に段差を設けることにより、足趾の収容空間を広くして、足趾の可動スペースを確保している。
【０００３】
【特許文献１】
特開２００２−１４２８０４号公報（図４参照）
【０００４】
また、特開２００１−７０００４号公報に示すものでは、足趾を載せる凹所を靴底に形成することにより、足趾を動きやすくするとともに、足趾の付け根部分の窪みに係合するような突条部を靴底に設けることにより、足趾を曲がりやすくして、足趾のグリップ力を増大させている。
【０００５】
【特許文献２】
特開２００１−７０００４号公報（段落番号［００１６］参照）
【０００６】
さらに、実開平３−７９７０４号公報に示すものでは、着用者の足趾が接する中底爪先部の硬度を中底踏付部の硬度よりも低くすることにより、中底爪先部を足趾の動きに応じて圧縮変形させて、足趾の自由度を大きくするとともに、中底爪先部に対して足趾の引っ掛かりを生じさせて走行時のキック力を高めるようにしている。
【０００７】
【特許文献３】
実開平３−７９７０４号公報（第２図参照）
【０００８】
【発明が解決しようとする課題】
上記各公報に記載のものでは、いずれも足趾にのみ着目しており、足趾が直接接触するソール領域に改良を施すことに専念している。その一方、足の踵部から着地して前足部に荷重が移動していく際において、足の拇趾球部から子趾球部にかけての足裏の踏付部に対応するミッドソール領域が上下方向に圧縮変形しやすい場合には、各足趾の中足骨骨頭部が下方に過度に沈み込み、その結果、足趾が必要以上に上方に反り上がる、いわゆる背屈の現象が生じる。歩行時または走行時にこのような背屈が生じると、背屈していない状態に足趾を戻す必要が生じ、その結果、接地面を蹴り出す動作にロスが生じることになる。
【０００９】
本発明は、このような従来の実情に鑑みてなされたもので、第１中足骨から第５中足骨の各骨頭部の下方への沈み込みを防止でき、足趾の背屈を防止できるシューズのミッドソール構造を提供することを目的とする。
【００１０】
【課題を解決するための手段】
請求項１の発明に係るシューズのミッドソール構造体は、着用者の足の踵部、土踏まず部および前足部にそれぞれ対応する踵部、中足部および前足部を有する軟質弾性部材製のミッドソールを備えている。そして、着用者の足の第１趾ないし第５趾の各中足骨骨頭部をカバーするミッドソール領域に、ミッドソールよりも硬度が高い硬質プレートが設けられている。
【００１１】
請求項１の発明によれば、第１から第５中足骨の各骨頭部をカバーするミッドソール領域に高硬度の硬質プレートが設けられるので、足の踵部から前足部への荷重移動の際に当該ミッドソール領域の上下方向の変形が抑制されて、第１から第５中足骨骨頭部が下方に沈み込むのを防止でき、これにより、足趾の背屈を防止できる。その結果、各足趾が使いやすくなって、歩行が容易になる。
【００１２】
請求項２の発明では、硬質プレートが樹脂またはラバー素材から構成されており、硬質プレートの硬度がＪＩＳＫ６２５３Ｄスケールで１５〜８０度であり、ミッドソールの硬度がアスカーのＣスケールで４５〜７０度である。
【００１３】
ミッドソールの硬度をアスカーのＣスケールで４５〜７０度としたのは、ミッドソールとしてのクッション性および安定性を確保するためであって、７０度よりも大きいと、硬すぎてクッション性に欠けることになり、また４５度より小さいと、軟らかすぎて着地時および荷重移動時の歩行安定性および走行安定性に欠けることになるからである。
【００１４】
硬質プレートの硬度をＪＩＳＫ６２５３Ｄで１５〜８０度としたのは、１５度より小さいと、着地時および荷重移動時において、第１から第５中足骨骨頭部の下方への沈み込みを抑制する効果が少なく、また８０度より大きいと、硬すぎて足当たり感が極端に低下することになるからである。
【００１５】
請求項３の発明に記載されているように、硬質プレートの硬度は、ＪＩＳＫ６２５３Ｄスケールで２５〜３５度であるのが好ましく、ミッドソールの硬度は、アスカーのＣスケールで５０〜６０度であるのが好ましい。
【００１６】
請求項４の発明では、硬質プレートが、ミッドソールの上面に形成された凹部に配置されている。
【００１７】
この場合には、硬質プレートがミッドソール上面に配置されることにより、荷重移動の際に、第１から第５中足骨骨頭部の下方への沈み込みを最も直接的に防止でき、その結果、足趾の背屈を効果的に防止できる。また、この場合には、硬質プレートによって、ミッドソールが局部的に大きく圧縮変形するのを防止でき、ミッドソールの圧縮変形量を均一にできる。さらに、この場合には、硬質プレートを配置したミッドソール領域の厚みを薄くできるので、荷重移動の際に当該ミッドソール領域の上下方向の変形量を低減でき、第１から第５中足骨骨頭部の下方への沈み込みをより効果的に防止できる。
【００１８】
請求項５の発明では、硬質プレートが、ミッドソールの下面に形成された凹部に配置されている。
【００１９】
この場合には、硬質プレートがミッドソール下面に配置されることにより、荷重移動の際には、中足骨骨頭部すなわち踏付部に対する柔らかな足当たり感を確保しつつ、足趾の背屈を防止できる。また、この場合には、請求項４の発明と同様に、硬質プレートを配置したミッドソール領域の厚みを薄くできるので、荷重移動の際に当該ミッドソール領域の上下方向の変形量を低減でき、第１から第５中足骨骨頭部の下方への沈み込みをより効果的に防止できる。
【００２０】
請求項６の発明では、硬質プレートがミッドソールの内部に埋設されている。
【００２１】
この場合には、荷重移動の際に、踏付部に対する柔らかな足当たり感を確保しつつ、足趾の背屈を防止でき、またミッドソールの圧縮変形量をほぼ均一にできる。さらに、この場合には、請求項４および５の発明と同様に、硬質プレートを配置したミッドソール領域の厚みを薄くできるので、荷重移動の際に当該ミッドソール領域の上下方向の変形量を低減でき、第１から第５中足骨骨頭部の下方への沈み込みをより効果的に防止できる。
【００２２】
請求項７の発明では、硬質プレートが配置された部位における当該ミッドソール構造体の厚みをｔとするとき、硬質プレートの厚みが（０．１〜０．５）×ｔであり、当該硬質プレートが配置された部位のミッドソールの厚みが（０．９〜０．５）×ｔである。
【００２３】
硬質プレートが配置された部位のミッドソール単体の厚みを当該部位のミッドソール構造体全体の厚みｔの５０％以上９０％以下としたのは、９０％より大きいと、硬質プレートによる各足趾の中足骨骨頭部の下方への沈み込みを抑制する効果が少なく、また５０％より小さいと、ミッドソールとしてのクッション性および足当たり性が極端に低下することになるからである。
【００２４】
請求項８の発明の発明に記載されているように、硬質プレートの厚みは（０．１〜０．２）×ｔであるのが好ましく、また、当該硬質プレートが配置されたミッドソールの厚みは（０．９〜０．８）×ｔであるのが好ましい。
【００２５】
請求項９の発明では、硬質プレートが、ミッドソールの成形時にインサート成形されている。これにより、製造工程を簡略化できる。
【００２６】
【発明の実施の形態】
以下、本発明の実施態様を添付図面に基づいて説明する。
図１ないし図８は、本発明によるシューズのミッドソール構造体を説明するための図であって、図１は本発明によるミッドソール構造体における硬質プレートの位置を足の骨格図との関係で示す平面図、図２は本発明の一実施態様によるミッドソール構造体の平面図、図３はそのＩＩＩ−ＩＩＩ  線断面図、図４は図２のＩＶ−ＩＶ  線断面図、図５は本発明の他の実施態様によるミッドソール構造体の平面図、図６はそのＶＩ−ＶＩ  線断面図、図７は図５のＶＩＩ−ＶＩＩ  線断面図、図８は本発明によるミッドソール構造体を備えたシューズにおける足圧・せん断力分布図である。なお、図１中、添字は各足趾を示しており、ＭＢは中足骨を、ＭＪは中足趾節関節をそれぞれ示している。また、各図において、同一符号は同一または相当部分を示している。
【００２７】
〔全体構造の説明〕
図１に示すように、本発明によるミッドソール構造体１は、着用者の足の踵部、土踏まず部および前足部にそれぞれ対応する踵部Ａ、中足部Ｂおよび前足部Ｃを有する軟質弾性部材製のミッドソール２と、ミッドソール２の前足部Ｃに設けられた、ミッドソール２よりも硬度が高い硬質プレート（斜線部分）３とから構成されている。
【００２８】
硬質プレート３は、薄板状の部材であって、足の第１趾中足骨ＭＢ１  の骨頭部から第５趾中足骨ＭＢ５  の骨頭部にかけての部位をカバーする領域に配置されている。
【００２９】
ミッドソール２は、一般に、良好なクッション性を備えた軟質弾性部材から構成されるが、具体的には、エチレン−酢酸ビニル共重合体（ＥＶＡ）等の熱可塑性樹脂の発泡体やポリウレタン（ＰＵ）等の熱硬化性樹脂の発泡体、またはブタジエンラバーやクロロプレンラバー等のラバー素材の発泡体が用いられる。
【００３０】
硬質プレート３は、たとえば熱可塑性樹脂や熱硬化性樹脂、またはラバー素材から構成される。
【００３１】
この場合には、足の各足趾の中足骨ＭＢ１  〜ＭＢ５  の骨頭部に対応するミッドソール領域に高硬度の硬質プレート３が設けられるので、歩行時または走行時において、足の踵部から前足部への荷重移動の際に当該ミッドソール領域の上下方向（図１紙面垂直方向）の変形を抑制でき、第１から第５中足骨骨頭部が下方に沈み込むのを防止できる。これにより、足趾の背屈を防止できる。その結果、各足趾が使いやすくなって、歩行が容易になる。
【００３２】
〔第１の実施態様〕
図２および図３に示すように、この第１の実施態様によるミッドソール構造体１においては、軟質弾性部材製のミッドソール２が、上方に配置されるとともに踵部から前足部で延設された上部ミッドソール２０と、上部ミッドソール２０の踵部において下方に配置された下部ミッドソール２１とから構成されている。また硬質プレート３は、上部ミッドソール２０の上面２０ａに形成された凹部２０ｃに嵌め込まれており、硬質プレート３の上面３ａは、上部ミッドソール２０の上面２０ａと面一に配置されている。硬質プレート３は、たとえば、上部ミッドソール２０の成形時にインサート成形されており、これにより、製造工程を簡略化できる。なお、硬質プレート３および上部ミッドソール２０をそれぞれ別個に成形した後、両者を接着するようにしてもよい。
【００３３】
上部ミッドソール２０には、その全周に沿って上方に立ち上がる巻き上げ部２０ｂが形成されている。巻き上げ部２０ｂは、図示しない甲被部の取付けの際にその接着面を提供している。また、上部ミッドソール２０の前足部の下面および下部ミッドソール２１の下面には、それぞれアウトソール４，５が固着されている。
【００３４】
上部ミッドソール２０の踵部から中足部を通って前足部の一部にかけての領域には、前後方向（図３上下方向）に延びる波形状を有する波形シート６が設けられている。この波形シート６は、着地時に上部ミッドソール２０が左右方向に横ずれ変形するのを抑制するための部材である。
【００３５】
硬質プレート３の硬度は、ＪＩＳＫ６２５３Ｄスケールで１５〜８０度の範囲に設定され、上下部ミッドソール２０，２１の硬度は、アスカーのＣスケールで４５〜７０度の範囲に設定されている。
【００３６】
ここで、上下部ミッドソール２０，２１の硬度をアスカーのＣスケールで４５〜７０度としたのは、ミッドソールとしてのクッション性および安定性を確保するためであって、７０度よりも大きいと、硬すぎてクッション性に欠けることになり、また４５度より小さいと、軟らかすぎて着地時および荷重移動時の歩行安定性および走行安定性に欠けることになるからである。
【００３７】
硬質プレート３の硬度をＪＩＳＫ６２５３Ｄで１５〜８０度としたのは、１５度より小さいと、着地時および荷重移動時において、足趾の各中足骨骨頭部の下方への沈み込みを抑制する効果が少なく、また８０度より大きいと、硬すぎて足当たり感が極端に低下することになるからである。
【００３８】
好ましくは、上下部ミッドソール２０，２１の硬度は、アスカーのＣスケールで５０〜６０度に設定され、硬質プレート３の硬度は、ＪＩＳＫ６２５３Ｄスケールで２５〜３５度に設定される。この第１の実施態様では、上下部ミッドソール２０，２１の硬度は、アスカーのＣスケールで５５度に設定され、硬質プレート３の硬度は、ＪＩＳＫ６２５３Ｄスケールで３０度に設定されている。
【００３９】
図４に示すように、硬質プレート３が配置された部位におけるミッドソール構造体１の厚みをｔとするとき、硬質プレート３の厚みｔ１  は０．１ｔ〜０．５ｔの範囲に設定されており、硬質プレート３が配置された部位の上部ミッドソール２０の厚みｔ２  は、硬質プレート３の厚みｔ１  に対応して、０．９ｔ〜０．５ｔの範囲に設定されている。
【００４０】
ここで、硬質プレート３が配置された部位の上部ミッドソール２０単体の厚みｔ２  を当該部位のミッドソール構造体１全体の厚みｔの５０％以上９０％以下としたのは、９０％より大きいと、硬質プレート３による各足趾の中足骨骨頭部の下方への沈み込みを抑制する効果が少なく、また５０％より小さいと、ミッドソールとしてのクッション性および足当たり性が極端に低下することになるからである。
【００４１】
好ましくは、硬質プレート３の厚みｔ１  は０．１ｔ〜０．２ｔの範囲に設定され、硬質プレート３が配置された上部ミッドソール２０の厚みｔ２  は０．９ｔ〜０．８ｔの範囲に設定される。この第１の実施態様では、硬質プレート３の厚みｔ１  は０．１５ｔに設定され、上部ミッドソール２０の厚みｔ２  は０．８５ｔに設定されている。
【００４２】
この第１の実施態様においては、硬質プレート３が上部ミッドソール２０の上面２０ａに配置されていることにより、荷重移動の際に、第１から第５中足骨骨頭部の下方への沈み込みを最も直接的に防止でき、その結果、足趾の背屈を効果的に防止できる。また、硬質プレート３によって、上部ミッドソール２０が局部的に大きく圧縮変形するのを防止でき、上部ミッドソール２０の圧縮変形量を均一にできる。さらに、硬質プレート３を配置した上部ミッドソール領域の厚みを薄くしたことにより、荷重移動の際に上部ミッドソール領域の上下方向の変形量を低減でき、第１から第５中足骨骨頭部の下方への沈み込みをより効果的に防止できるようになる。
【００４３】
〔第２の実施態様〕
図５ないし図７に示すように、この第２の実施態様においては、硬質プレート３が上部ミッドソール２０の下面に配置されている点のみが前記第１の実施態様と異なっている。硬質プレート３は、上部ミッドソール２０の下面２０ｄに形成された凹部２０ｃ′に嵌め込まれている。なお、前記第１の実施態様の場合と同様に、上下部ミッドソール２０，２１の硬度はアスカーのＣスケールで５５度に設定され、硬質プレート３の硬度はＪＩＳＫ６２５３Ｄスケールで３０度に設定されており、硬質プレート３の厚みは０．１５ｔに設定され、上部ミッドソール２０の厚みは０．８５ｔに設定されている。
【００４４】
この第２の実施態様においては、硬質プレート３が上部ミッドソール２０の下面２０ｄに配置されていることにより、荷重移動の際には、踏付部に対する柔らかな足当たり感を上部ミッドソール２０により確保しつつ、足趾の背屈を防止できる。また、硬質プレート３を配置した上部ミッドソール領域の厚みを薄くしたことにより、荷重移動の際に上部ミッドソール領域の上下方向の変形量を低減でき、第１から第５中足骨骨頭部の下方への沈み込みをより効果的に防止できる。
【００４５】
〔第３の実施態様〕
図示していないが、硬質プレート３は、上部ミッドソール２０の内部に埋設するようにしてもよい。この場合、硬質プレート３は、たとえば、上下に分割された上部ミッドソール２０の間に挟み込まれて接着されることにより、上部ミッドソール２０内に配置される。
【００４６】
この第３の実施態様においては、荷重移動の際には、踏付部に対する柔らかな足当たり感を上部ミッドソール２０の上面２０ａで確保しつつ、足趾の背屈を防止でき、また上部ミッドソール２０の圧縮変形量をほぼ均一にできる。さらに、硬質プレート３を配置した上部ミッドソール領域の厚みが同様に薄くなるので、荷重移動の際に上部ミッドソール領域の上下方向の変形量を低減でき、各足趾の第１から第５中足骨骨頭部の下方への沈み込みをより効果的に防止できる。
【００４７】
次に、第１ないし第３の実施態様におけるミッドソール構造体を備えたシューズを用いて、実際に足圧を測定した結果を図８に示す。また、従来のミッドソールを備えたシューズを用いて、同様に足圧を測定した結果を図９に示す。
これら図８および図９は、踵着地時から前足部への荷重移動時をへてつま先部から離地するまでの間の足圧の時系列的変化を示しており、図中、色が濃い領域ほど圧力が高いことを示している。また、図中の矢印は、接地面に作用するせん断力を示している。
【００４８】
図８および図９を比較して明らかなように、図９では、第１趾の足圧が低いのに対し、図８では第１趾の足圧が高くなっている。これは、荷重移動の際に第１から第５中足骨骨頭部の下方への沈み込みが抑制されて、足趾の背屈が防止された結果、各足趾が使いやすくなって、とくに第１趾の蹴り出しが強くなったことによるものと考えられる。
【００４９】
【発明の効果】
以上のように本発明によれば、各足趾の中足骨骨頭部をカバーするミッドソール領域に高硬度の硬質プレートが設けられるので、足の踵部から前足部への荷重移動の際に当該ミッドソール領域の上下方向の変形を抑制して、各足趾の第１中足骨骨頭部から第５中足骨骨頭部が下方に沈み込むのを防止でき、これにより、足趾の背屈を防止できる効果がある。
【図面の簡単な説明】
【図１】本発明によるミッドソール構造体における硬質プレートの位置を足の骨格図との関係で示す平面図である。
【図２】本発明の一実施態様によるミッドソール構造体の平面図である。
【図３】図２のＩＩＩ−ＩＩＩ  線断面図である。
【図４】図２のＩＶ−ＩＶ  線断面図である。
【図５】本発明の他の実施態様によるミッドソール構造体の平面図である。
【図６】図５のＶＩ−ＶＩ  線断面図である。
【図７】図５のＶＩＩ−ＶＩＩ  線断面図である。
【図８】本発明によるミッドソール構造体を備えたシューズにおける足圧・せん断力分布図である。
【図９】図８の比較例を示しており、従来のシューズにおける足圧・せん断力分布図である。
【符号の説明】
１：  ミッドソール構造体
２：  ミッドソール
２０：  上部ミッドソール
２０ａ：  上面
２０ｃ：  凹部
２１：  下部ミッドソール
３：  硬質プレート
Ａ：  踵部
Ｂ：  中足部
Ｃ：  前足部
ＭＢ：  中足骨
ＭＪ：  中足趾節関節
ｔ，ｔ１  ，ｔ２  ：    厚み
【図１】
2004267238.tif 000003
【図２】
2004267238.tif 000004
【図３】
2004267238.tif 000005
【図４】
2004267238.tif 000006
【図５】
2004267238.tif 000007
【図６】
2004267238.tif 000008
【図７】
2004267238.tif 000009
【図８】
2004267238.tif 000010
【図９】
2004267238.tif 000011